(57)【要約】【課題】  投射光軸の回りの方向への傾斜に基づく歪を補正して画像を投射する表示装置を提供する。【解決手段】  表示装置においては、表示装置が投射光軸の回りに傾斜したときの傾斜角が加速度センサを用いて検出される。そして、その検出された傾斜角と、表示装置が投射光軸の回りに傾斜したときにスクリーンに投射される画像の画角を規定する点Ｃ０〜Ｃ３の座標とを用いて、表示装置が投射光軸の回りに傾斜しないときの画像の画角を規定する点Ｐ０〜Ｐ３の座標が演算される。そうすると、点Ｃ０〜Ｃ３および点Ｐ０〜Ｐ３の座標を用いて、表示装置が投射光軸の回りに傾斜したときの画像の画角が、表示装置が投射光軸の回りに傾斜しないときの画像の画角に変換される。【選択図】        図５
2006284639.tif 000002
【特許請求の範囲】
【請求項１】
入力映像信号に基づいて形成された液晶パネル上の画像を前記液晶パネルへの照射光に基づいてスクリーン上に拡大表示する表示装置であって、
当該表示装置が投射光軸の回りの方向へ傾斜している傾斜角を検出する傾斜角検出手段と、
前記検出された傾斜角に基づいて、入力映像信号の第１の画角を当該表示装置が前記投射光軸の回りの方向へ傾斜していないときの第２の画角に変換する画角変換手段とを備える表示装置。
【請求項２】
前記画角変換手段は、前記入力映像信号をスクリーン上に投射したときの画面のサイズを縮小して前記第１の画角を前記第２の画角に変換する、請求項１に記載の表示装置。
【請求項３】
前記画角変換手段は、前記入力映像信号をスクリーン上に投射したときの画面のサイズを維持して前記第１の画角を前記第２の画角に変換する、請求項１に記載の表示装置。
【請求項４】
前記画角変換手段は、前記入力映像信号をスクリーン上に投射したときの画面のアスペクト比を保持して前記第１の画角を前記第２の画角に変換する、請求項２または請求項３に記載の表示装置。
【請求項５】
前記画角変換手段は、前記入力映像信号をスクリーン上に投射したときの画面の輪郭を規定する四角形に２つの頂点が内接するように前記第１の画角を前記第２の画角に変換する、請求項１から請求項４のいずれか１項に記載の表示装置。
【請求項６】
画角が前記第１の画角から前記第２の画角に変換された映像信号に対して台形歪補正を施す歪補正手段をさらに備える、請求項１から請求項５のいずれか１項に記載の表示装置。
【請求項７】
前記傾斜角検出手段は、前記傾斜角に加え、前記投射光軸の方向に対する当該表示装置の傾斜角を検出する、請求項１から請求項６のいずれか１項に記載の表示装置。
【発明の詳細な説明】
【技術分野】
【０００１】
この発明は、表示装置に関し、特に、投射光軸の回りの方向への傾斜に基づく歪を補正して画像を投射する表示装置に関するものである。
【背景技術】
【０００２】
従来、液晶ライトバルブおよびＤＭＤ（デジタル・マイクロミラー・デバイス）等を利用した投射型表示装置が知られている。たとえば、光変調手段として透過型液晶パネル（液晶ライトバルブ）を用いた投射型表示装置は、光源から出射された白色光を３原色光に分離し、その分離した各色光を液晶ライトバルブで変調し、液晶ライトバルブを透過した光学像を投射レンズを介してスクリーンに投射するものである。
【０００３】
このような投射型表示装置において、投射レンズの中心よりも上方に画像を投射するあおり投射をした場合、スクリーンに投射された画像は、逆台形状に歪み、スクリーンの上端にいくほど、上方向に伸び、かつ、水平方向に広がる。そこで、このような「あおり投射」を垂直方向および水平方向にした場合の画像歪を補正することが行なわれている（特許文献１）。
【０００４】
そして、この画像歪を補正する方法は、投射型表示装置に垂直な方向の傾斜角を検出し、その検出した傾斜角に基づいて垂直方向の画像歪を補正し、ユーザ操作に応じて水平方向の画像歪を補正するというものである。
【特許文献１】特開２００３−５７７５２号公報
【発明の開示】
【発明が解決しようとする課題】
【０００５】
しかし、特許文献１に開示された画像歪を補正する方法では、表示装置が投射光軸の回りの方向へ傾斜したときの画像歪を補正することが困難であるという問題がある。
【０００６】
そこで、この発明は、かかる問題を解決するためになされたものであり、その目的は、投射光軸の回りの方向への傾斜に基づく歪を補正して画像を投射する表示装置を提供することである。
【課題を解決するための手段】
【０００７】
この発明によれば、表示装置は、入力映像信号に基づいて形成された液晶パネル上の画像を液晶パネルへの照射光に基づいてスクリーン上に拡大表示する表示装置であって、傾斜角検出手段と、画角変換手段とを備える。傾斜角検出手段は、当該表示装置が投射光軸の回りの方向へ傾斜している傾斜角を検出する。画角変換手段は、検出された傾斜角に基づいて、入力映像信号の第１の画角を当該表示装置が投射光軸の回りの方向へ傾斜していないときの第２の画角に変換する。
【０００８】
好ましくは、画角変換手段は、入力映像信号をスクリーン上に投射したときの画面のサイズを縮小して第１の画角を第２の画角に変換する。
【０００９】
好ましくは、画角変換手段は、入力映像信号をスクリーン上に投射したときの画面のサイズを維持して第１の画角を前記第２の画角に変換する。
【００１０】
好ましくは、画角変換手段は、入力映像信号をスクリーン上に投射したときの画面のアスペクト比を保持して第１の画角を第２の画角に変換する。
【００１１】
好ましくは、画角変換手段は、入力映像信号をスクリーン上に投射したときの画面の輪郭を規定する四角形に２つの頂点が内接するように第１の画角を第２の画角に変換する。
【００１２】
好ましくは、表示装置は、歪補正手段をさらに備える。歪補正手段は、画角が第１の画角から第２の画角に変換された映像信号に対して台形歪補正を施す。
【００１３】
好ましくは、傾斜角検出手段は、傾斜角に加え、投射光軸の方向に対する当該表示装置の傾斜角を検出する。
【発明の効果】
【００１４】
この発明による表示装置においては、表示装置が投射光軸の回りに傾斜したときの傾斜角が検出され、その検出された傾斜角に基づいて、表示装置が投射光軸の回りに傾斜したことによって生じた歪が補正される。
【００１５】
したがって、この発明によれば、表示装置が投射光軸の回りに傾斜することによって生じた歪を補正してスクリーン上に表示装置が投射光軸の回りに傾斜していないときの画像を投射できる。
【発明を実施するための最良の形態】
【００１６】
本発明の実施の形態について図面を参照しながら詳細に説明する。なお、図中同一または相当部分には同一符号を付してその説明は繰返さない。
【００１７】
図１は、この発明の実施の形態による表示装置の概略ブロック図である。図１を参照して、この発明の実施の形態による表示装置１０は、入力端子１と、ＡＤＣ（Ａｎａｌｏｇ  Ｄｉｇｉｔａｌ  Ｃｏｎｖｅｒｔｅｒ）回路２と、映像信号処理回路３と、ドライバ４と、マイクロコンピュータ（以下、「マイコン」という）５と、液晶パネル／光源部６と、光学系７と、加速度センサ８と、ＡＤコンバータ９とを備える。
【００１８】
入力端子１は、アナログ信号からなる映像信号をビデオおよびパーソナルコンピュータ等から受けるための端子である。ＡＤＣ回路２は、入力端子１から受けた映像信号をアナログ信号からデジタル信号に変換し、その変換した映像信号を映像信号処理回路３へ出力する。
【００１９】
映像信号処理回路３は、マイコン５からの命令によって映像信号の画角を変換し、その変換した映像信号をドライバ４へ出力する。より具体的には、映像信号処理回路３は、マイコン５からの命令に応じて、表示装置１０が投射光軸の回りの方向へ傾斜したときの画像歪を後述する方法によって補正し、その画像歪を補正した映像信号にさらに台形歪補正を施してドライバ４へ出力する。
【００２０】
ドライバ４は、映像信号処理回路３から受けた映像信号をデジタル信号からアナログ信号に変換するとともに、その変換した映像信号を液晶パネル／光源部６へ出力し、映像信号に基づく画像を液晶パネル／光源部６の液晶パネルに表示する。
【００２１】
液晶パネル／光源部６は、液晶パネルの背面に存在する光源から出射された照射光により、液晶パネルに表示された画像を投射する。光学系７は、液晶パネル／光源部６からの投射光を変倍してスクリーン（図示せず）上に画像を投射する。
【００２２】
加速度センサ８は、表示装置１０に印加される加速度を検出し、その検出した加速度をＡＤコンバータ９へ出力する。ＡＤコンバータ９は、加速度センサ８からの加速度をアナログ電圧からデジタル電圧に変換してマイコン５へ出力する。
【００２３】
マイコン５は、加速度センサ８からの加速度に基づいて、表示装置１０の傾斜角を検出し、その検出した傾斜角に基づいて画像歪補正を行なうための命令を映像信号処理回路３へ出力する。
【００２４】
図２は、図１に示す液晶パネル／光源部６の概略図である。図２を参照して、液晶パネル／光源部６は、光源６１と、光分離部６２と、液晶パネル６３〜６５と、光結合部６６とを含む。
【００２５】
光源６１は、点灯すると、白色光を光分離部６２に出射する。光分離部６２は、光源６１からの白色光を赤色の光ＬＴ１、緑色の光ＬＴ２および青色の光ＬＴ３に分離し、その分離した赤色の光ＬＴ１、緑色の光ＬＴ２および青色の光ＬＴ３をそれぞれ液晶パネル６３〜６５へ導く。
【００２６】
液晶パネル６３〜６５の各々は、ドライバ４から映像信号を受け、その受けた映像信号に基づく画像を表面に表示する。そして、液晶パネル６３は、その表示した画像を光分離部６２からの赤色の光ＬＴ１によって投射し、その投射した赤色の投射光を光結合部６６へ導く。また、液晶パネル６４は、表面に表示した画像を光分離部６２からの緑色の光ＬＴ２によって投射し、その投射した緑色の投射光を光結合部６６へ導く。さらに、液晶パネル６５は、表面に表示した画像を光分離部６２からの青色の光ＬＴ３によって投射し、その投射した青色の投射光を光結合部６６へ導く。
【００２７】
光結合部６６は、液晶パネル６３〜６５からそれぞれ赤色の投射光、緑色の投射光および青色の投射光を受け、その受けた赤色の投射光、緑色の投射光および青色の投射光を結合して光学系７へ導く。
【００２８】
図３は、図１に示す加速度センサ８によって検出される加速度の方向を示す図である。図３を参照して、加速度センサ８は、Ｙ軸が投射光軸方向になり、Ｚ軸が重力方向になり、Ｘ軸が投射光軸方向および重力方向に垂直な方向になるように設置される。
【００２９】
表示装置１０は、Ｙ軸の−方向へ投射光を出射するものとする。また、表示装置１０が投射光軸の回りの方向へ傾斜した場合、Ｘ軸の＋方向からＺ軸の−方向への傾斜（すなわち、Ｙ軸の−方向に向かって時計回りの傾斜）を＋θの傾斜とし、Ｘ軸の−方向からＺ軸の−方向への傾斜（すなわち、Ｙ軸の−方向に向かって反時計回りの傾斜）を−θの傾斜とする。
【００３０】
加速度センサ８は、Ｘ軸方向、Ｙ軸方向およびＺ軸方向の加速度を検出し、その検出した加速度をＡＤコンバータ９を介してマイコン５へ出力する。この場合、加速度センサ８は、加速度をアナログ電圧として出力する。ＡＤコンバータ９は、加速度センサ８からのアナログ電圧をデジタル電圧に変換してマイコン５へ出力する。マイコン５は、次式により表示装置１０の傾斜角θを検出する。
【００３１】
ΔＶ＝Ｓｇ×ｓｉｎθ・・・（１）
式（１）において、ΔＶは、ＡＤコンバータ９からマイコン５へ出力されるデジタル電圧であり、Ｓｇは、感度である。この感度Ｓｇは、重力加速度が変化した場合に調整値として用いられるものである。この発明においては、Ｓｇ＝１とする。
【００３２】
したがって、マイコン５は、ＡＤコンバータ９から受けたデジタル電圧ΔＶと、Ｓｇ＝１とを式（１）に代入して表示装置１０の傾斜角θを演算する。
【００３３】
図４は、表示装置１０の設置状態を示す図である。図４を参照して、表示装置１０は、投射口１１から投射光を出射する。そして、表示装置１０は、投射光軸の回りに傾斜している。
【００３４】
この発明においては、図４に示すように、表示装置１０が投射光軸の回りに傾斜したときに、この傾斜角を加速度センサ８により検出し、その検出した傾斜角に基づいて画像歪を補正する。
【００３５】
図５は、表示装置１０が０＜θ＜９０度の範囲で投射光軸の回りへ傾斜したときの画像歪を補正する方法を説明するための図である。表示装置１０が０＜θ＜９０度の範囲で投射光軸の回りへ傾斜したとき、点Ｃ０〜Ｃ３によって囲まれる画像がスクリーン上に表示される。なお、点Ｃ０〜Ｃ３によって囲まれる画像は、横の長さ：縦の長さ＝４：３のアスペクト比を有する画像である。
【００３６】
そして、点Ｃ０〜Ｃ３によって囲まれる画像を点Ｐ０〜Ｐ３によって囲まれる画像（表示装置１０が投射光軸の回りへ傾斜していないときの画像）に補正する方法を説明する。三角形Ｐ１Ｑ０Ｐ３において次式が成立する。
【００３７】
Ｃ＝ｙ０÷ｃｏｓ（６０°−θ）・・・（２）
また、三角形Ｐ１Ｐ２Ｐ３において次式が成立する。
【００３８】
Ｂ＝Ｃ×ｃｏｓ（３０°）＝ｙ０÷ｃｏｓ（６０°−θ）×ｃｏｓ（３０°）
・・・（３）
さらに、三角形Ｐ０Ｐ３Ｑ２において次式が成立する。
【００３９】
ａ０＝Ｂ×ｃｏｓθ・・・（４）
式（３）を式（４）へ代入すると、次式が成立する。
【００４０】
ａ０＝ｙ０÷ｃｏｓ（６０°−θ）×ｃｏｓ（３０°）×ｃｏｓθ・・・（５）
さらに、三角形Ｐ１Ｐ２Ｐ３において次式が成立する。
【００４１】
Ａ＝Ｃ×ｓｉｎ（３０°）
＝ｙ０÷ｃｏｓ（６０°−θ）×ｓｉｎ（３０°）・・・（６）
さらに、三角形Ｐ２Ｐ３Ｑ１において次式が成立する。
【００４２】
ａ１＝Ａ×ｓｉｎθ・・・（７）
式（６）を式（７）に代入すると、次式が成立する。
【００４３】
ａ１＝ｙ０÷ｃｏｓ（６０°−θ）×ｓｉｎ（３０°）×ｓｉｎθ・・・（８）
したがって、画角を画面の中央の位置に置くための各点Ｐ０〜Ｐ３の座標は、次のようになる。
【００４４】
Ｐ０（（ｘ０−ａ０−ａ１）÷２，Ｂ×ｓｉｎ（θ））
Ｐ１（（ｘ０−ａ０−ａ１）÷２＋Ａ×ｓｉｎ（θ），ｙ０）
Ｐ２（（ｘ０＋ａ０＋ａ１）÷２，Ａ×ｃｏｓ（θ））
Ｐ３（（ｘ０＋ａ０−ａ１）÷２，０）
映像信号処理回路３は、表示装置１０の投射光軸の回りへの傾斜角θをマイコン５から受け、その受けた傾斜角θを式（３），（５），（６），（８）に代入して点Ｐ０〜Ｐ３の各点の座標を演算する。そして、映像信号処理回路３は、点Ｃ０〜Ｃ３の座標と点Ｐ０〜Ｐ３の座標とを用いて、表示装置１０が投射光軸の回りの方向へ傾斜したときの画角を表示装置１０が投射光軸の回りへ傾斜していないときの画角に変換する。
【００４５】
この場合、点Ｐ０〜Ｐ３によって囲まれた画像は、横の長さ：縦の長さ＝４：３のアスペクト比を有する。したがって、映像信号処理回路３は、アスペクト比を保持して画角を変換する。
【００４６】
図６は、表示装置１０が−９０＜θ＜０度の範囲で投射光軸の回りへ傾斜したときの画像歪を補正する方法を説明するための図である。図６においても、点Ｃ’０〜Ｃ’３によって囲まれる画像を点Ｐ’０〜Ｐ’３によって囲まれる画像（表示装置１０が投射光軸の回りへ傾斜していないときの画像）に補正する方法を説明する。
【００４７】
三角形Ｐ’０Ｑ’０Ｐ ’２において式（２）が成立する。また、三角形Ｐ’０Ｐ’２Ｐ ’３において式（６）が成立する。さらに、三角形Ｐ’０Ｐ’１Ｑ ’２において次式が成立する。
【００４８】
ａ０＝Ａ×ｓｉｎθ・・・（９）
式（６）を式（９）に代入すると、次式が成立する。
【００４９】
ａ０＝ｙ０÷ｃｏｓ（６０°−θ）×ｓｉｎ（３０°）×ｓｉｎθ・・・（１０）
さらに、三角形Ｐ’０Ｐ’２Ｐ ’３において式（３）が成立する。
【００５０】
さらに、三角形Ｐ’３Ｐ’０Ｑ ’１において次式が成立する。
【００５１】
ａ１＝Ｂ×ｃｏｓθ・・・（１１）
そして、式（３）を式（１１）に代入すると、次式が得られる。
【００５２】
ａ１＝ｙ０÷ｃｏｓ（６０°−θ）×ｃｏｓ（３０°）×ｃｏｓθ・・・（１２）
したがって、画角を画面の中央の位置に置くための各点Ｐ’０〜Ｐ’３の座標は、次のようになる。
【００５３】
Ｐ’０（（ｘ０＋ａ０−ａ１）÷２，０）
Ｐ’１（（ｘ０−ａ０−ａ１）÷２，Ａ×ｃｏｓ（θ））
Ｐ’２（（ｘ０−ａ０−ａ１）÷２＋Ｂ×ｃｏｓ（θ），ｙ０）
Ｐ’３（（ｘ０＋ａ０＋ａ１）÷２，Ｂ×ｓｉｎ（θ））
映像信号処理回路３は、表示装置１０の投射光軸の回りへの傾斜角θをマイコン５から受け、その受けた傾斜角θを式（３），（６），（１０），（１２）に代入して点Ｐ’０〜Ｐ’３の各点の座標を演算する。そして、映像信号処理回路３は、点Ｃ’０〜Ｃ’３の座標と点Ｐ’０〜Ｐ’３の座標とを用いて、表示装置１０が投射光軸の回りの方向へ傾斜したときの画角を表示装置１０が投射光軸の回りへ傾斜していないときの画角に変換する。
【００５４】
この場合、点Ｐ’０〜Ｐ’３によって囲まれた画像は、横の長さ：縦の長さ＝４：３のアスペクト比を有する。したがって、映像信号処理回路３は、アスペクト比を保持して画角を変換する。
【００５５】
上述したように、映像信号処理回路３は、表示装置１０が投射光軸の回りの方向へ０＜θ＜９０度または−９０度＜θ＜０の範囲で傾斜したとき、その傾斜したときの画角を表示装置１０が投射光軸の回りへ傾斜しないときの画角に変換する。
【００５６】
この場合、映像信号処理回路３は、点Ｐ１〜Ｐ３（または点Ｐ’１〜Ｐ’３）によって囲まれた領域以外の領域を黒色の映像に変換するので、上述した方法によって画角を変換した場合、画像サイズは、縮小される。
【００５７】
したがって、映像信号処理回路３は、アスペクト比を保持しつつ、画像サイズを縮小するように画角を変換する。
【００５８】
そして、映像信号処理回路３は、上述した方法によって画角を変換した後、マイコン５からの命令に応じて、台形歪補正を行なう。この台形歪補正は、表示装置１０が水平方向から上方へ向けて投射光を出射するために、スクリーン上では、下側よりも上側のサイズが大きくなるのを補正するものである。
【００５９】
したがって、この補正を行なうには、表示装置１０のＺ軸に対する傾斜角を求める必要がある。マイコン５は、加速度センサ８から受けたＺ軸方向（重力方向）の加速度を示すデジタル電圧ΔＶを式（１）に代入して表示装置１０のＺ軸方向の傾斜角θｚを演算する。
【００６０】
そうすると、マイコン５は、その演算した傾斜角θｚに基づいて、台形歪を補正するための画角を演算し、その演算した画角を映像信号処理回路３へ出力して台形歪補正を行なうように命令する。
【００６１】
そして、映像信号処理回路３は、マイコン５からの命令に応じて、映像信号の画角を変換し、その変換した映像信号をドライバ４へ出力する。
【００６２】
図７は、表示装置１０における動作を説明するためのフローチャートである。  一連の動作が開始されると、加速度センサ８は、Ｘ軸方向、Ｙ軸方向およびＺ軸方向の加速度を検出し、その検出した加速度をアナログ電圧としてＡＤコンバータ９へ出力する。
【００６３】
ＡＤコンバータ９は、加速度センサ８からのアナログ電圧をデジタル電圧に変換してマイコン５へ出力する。マイコン５は、ＡＤコンバータ９からのデジタル電圧を式（１）に代入して表示装置１０が投射光軸の回りへ傾斜したときの傾斜角θを検出する（ステップＳ１）。
【００６４】
その後、マイコン５は、その検出した傾斜角θを映像信号処理回路３へ出力する。映像信号処理回路３は、マイコン５から傾斜角θを受けると、上述した方法によって、表示装置１０が投射光軸の回りに傾斜したときの映像の画角を表示装置１０が投射光軸の回りに傾斜しないときの映像の画角に変換する。すなわち、映像信号処理回路３は、傾斜角θに基づいて、表示装置１０が投射光軸の回りに傾斜したときの画像を補正する（ステップＳ２）。
【００６５】
引続いて、マイコン５は、ＡＤコンバータ９からのデジタル電圧を式（１）に代入して表示装置１０のＺ軸方向の傾斜角θｚを検出し（ステップＳ３）、その検出した傾斜角θｚに基づいて、台形歪補正を行なうための画角を演算して映像信号処理回路３へ出力する。
【００６６】
そして、映像信号処理回路３は、マイコン５から受けた画角に基づいて、映像信号の画角を変換して台形歪補正を行なう（ステップＳ４）。
【００６７】
これによって、一連の動作が終了する。
【００６８】
上述したように、表示装置１０は、表示装置１０が投射光軸の回りに傾斜したときの傾斜角θを検出する加速度センサ８およびマイコン５と、その検出された傾斜角θに基づいて、表示装置１０が投射光軸の回りに傾斜したことによって生じた歪を補正する映像信号処理回路３とを備えるので、表示装置１０が投射光軸の回りに傾斜することによって生じる歪を補正してスクリーン上に表示装置１０が投射光軸の回りに傾斜していないときの画像を投射できる。
【００６９】
そして、表示装置１０においては、表示装置１０が投射光軸の回りに傾斜したときの画像歪が補正された後、表示装置１０がＺ軸へ傾斜したことに基づく画像歪（台形歪）が補正される。この場合、表示装置１０の投射光軸の回りへの傾斜角θおよび表示装置１０のＺ軸方向への傾斜角θｚは、加速度センサ８によって検出されたＸ軸方向、Ｙ軸方向およびＺ軸方向の加速度に基づいて検出される。
【００７０】
したがって、この発明によれば、表示装置１０の投射光軸の回りへの傾斜角θを検出するためのセンサを新たに追加しなくても、表示装置１０が投射光軸の回りに傾斜することによって生じる歪を補正できる。
【００７１】
なお、上記においては、表示装置１０が投射光軸の回りに傾斜することによって生じる歪を補正するとき、元の画像サイズが縮小されると説明したが、この発明においては、これに限らず、元の画像サイズを維持したまま、表示装置１０が投射光軸の回りに傾斜することによって生じる歪を補正するようにしてもよい。
【００７２】
この場合、点Ｃ０〜Ｃ３（または点Ｃ’０〜Ｃ’３）によって表される四角形が点Ｐ０〜Ｐ３（または点Ｐ’０〜Ｐ’３）によって表される四角形に２点で内接するように、上述した方法と同じ方法によって点Ｐ０〜Ｐ３（または点Ｐ’０〜Ｐ’３）の座標を演算する。
【００７３】
そして、元の画像サイズを維持して表示装置１０が投射光軸の回りに傾斜することによって生じる歪を補正する場合、元の画像のアスペクト比も保持される。
【００７４】
この発明においては、加速度センサ８およびマイコン５は、「傾斜角検出手段」を構成する。
【００７５】
また、マイコン５からの傾斜角θに基づいて、上述した方法によって、画角を変換する映像信号処理回路３は、「画角変換手段」を構成する。
【００７６】
さらに、台形歪補正を行なうマイコン５および映像信号処理回路３は、「歪補正手段」を構成する。
【００７７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００７８】
この発明は、投射光軸の回りの方向への傾斜に基づく歪を補正して画像を投射する表示装置に適用される。
【図面の簡単な説明】
【００７９】
【図１】この発明の実施の形態による表示装置の概略ブロック図である。
【図２】図１に示す液晶パネル／光源部の概略図である。
【図３】図１に示す加速度センサによって検出される加速度の方向を示す図である。
【図４】表示装置の設置状態を示す図である。
【図５】表示装置が０＜θ＜９０度の範囲で投射光軸の回りへ傾斜したときの画像歪を補正する方法を説明するための図である。
【図６】表示装置が−９０＜θ＜０度の範囲で投射光軸の回りへ傾斜したときの画像歪を補正する方法を説明するための図である。
【図７】表示装置における動作を説明するためのフローチャートである。
【符号の説明】
【００８０】
１  入力端子、２  ＡＤＣ回路、３  映像信号処理回路、４  ドライバ、５  マイコン、６  液晶パネル／光源部、７  光学系、８  加速度センサ、９  ＡＤコンバータ、１０  表示装置、１１  投射口、６１  光源、６２  光分離部、６３〜６５  液晶パネル、６６  光結合部。
【図１】
2006284639.tif 000003
【図２】
2006284639.tif 000004
【図３】
2006284639.tif 000005
【図４】
2006284639.tif 000006
【図５】
2006284639.tif 000007
【図６】
2006284639.tif 000008
【図７】
2006284639.tif 000009